【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
回路内で出力電圧源を生成するチャージポンプ装置であって、
ａ）転送コンデンサと、
ｂ）それぞれが少なくとも１つのチャージポンプクロック出力の制御の下で、導通状態と非導通状態とを切替可能な、複数の転送コンデンサ結合スイッチと、
ｃ）各駆動部が次の駆動部の入力と結合された出力を有するようリング状に連続して縦列接続された３個の反転駆動部を有するリング発振器を有し、最初の駆動部は最後の駆動部の次であり、及び駆動部出力の１つは特定のチャージポンプクロック出力を構成し、少なくとも１つの転送コンデンサ結合スイッチを制御し、及び各駆動部は、
ｉ）能動回路制限として駆動部出力の電圧の立ち上がり変化率を制限するよう構成された回路と、
ｉｉ）能動回路制限として駆動部出力の電圧の立ち下がり変化率を制限するよう構成された回路とを有する、チャージポンプクロック生成回路と、を有し、
ｄ）前記複数の転送コンデンサ結合スイッチは、前記転送コンデンサと結合され、周期的な第１の期間に前記転送コンデンサを電圧源と結合し、前記第１の期間と同時に生じない周期的な第２の期間に前記転送コンデンサを出力電圧源と結合するよう制御される、装置。
【請求項２】
前記少なくとも１つのチャージポンプクロック出力の１つを複数の転送コンデンサ結合スイッチの１つの制御節点に結合するよう構成された容量性結合回路、を更に有する請求項１記載の装置。
【請求項３】
回路内で出力電圧源を生成するチャージポンプ装置であって、
ａ）転送コンデンサと、
ｂ）それぞれがチャージポンプクロック出力の制御の下で、導通状態と非導通状態とを切替可能であり、及び
ｉ）前記転送コンデンサの端子と前記出力電圧源の共通基準端子との間に配され、第１の制御節点ＡＣインピーダンスを有する共通放電スイッチと、
ｉｉ）前記転送コンデンサの対極の端子と前記出力電圧源の前記共通基準端子の対極の端子との間に配され、前記第１の制御節点ＡＣインピーダンスの少なくとも２倍である第２の制御節点ＡＣインピーダンスを有する出力電源放電スイッチと、を有する複数の転送コンデンサ結合スイッチと、
ｃ）ｉ）前記チャージポンプクロック出力の立ち上がり変化率を制限するよう構成された回路と、
ｉｉ）前記チャージポンプクロック出力の立ち下がり変化率を制限するよう構成された回路と、を有するチャージポンプクロック生成回路と、を有し、
ｄ）前記転送コンデンサ結合スイッチｂ）は、前記転送コンデンサと結合され、及び前記転送コンデンサを周期的な第１の期間に電圧源と結合し、及び前記転送コンデンサを前記第１の期間と同時に生じない周期的な第２の期間に出力電圧源と結合するよう制御される、装置。
【請求項４】
モノリシック集積回路内で出力電圧源を生成するチャージポンプ装置であって、
ａ）電源端子と出力端子に交互に結合される転送コンデンサと、
ｂ）それぞれが少なくとも１つのチャージポンプクロック出力の制御下で、導通状態と非導通状態とを切替可能であり、前記チャージポンプクロック出力により実質的に導通されない電荷を前記電源端子から前記出力端子へ結合する複数の能動スイッチと、
ｃ）能動駆動回路を有するチャージポンプクロック生成回路と、を有し、前記能動駆動回路は、電流を前記チャージポンプクロック出力へ流し及び電流を前記チャージポンプクロック出力から引き込むよう構成され、
ｉ）前記能動駆動回路により前記チャージポンプクロック出力に提供される電源電流を制限するよう構成された回路と、
ｉｉ）前記能動駆動回路により前記チャージポンプクロック出力から引き込まれる電流を制限するよう構成された回路と、により実質的に正弦波である前記チャージポンプクロック出力の電圧波形を生じる、装置。
【請求項５】
モノリシック集積回路内で出力電圧源を生成するチャージポンプ装置であって、
ａ）転送コンデンサと、
ｂ）前記転送コンデンサと電圧源の間に直列に配された１つ以上の電源切替素子と、
ｃ）前記転送コンデンサと出力電圧源の間に直列に配され、転送電流を前記転送コンデンサから前記出力電圧源へ伝達する１つ以上の出力切替素子と、
ｄ）実質的な転送電流を伝達することなく前記電源切替素子のそれぞれの制御端子に受動的に結合された単一位相のチャージポンプクロック出力を提供するよう構成され、全ての前記電源切替素子に対し、充電期間に導通を放電期間に非導通を生じ、前記チャージポンプクロック出力は、実質的な転送電流を伝達することなく前記出力切替素子のそれぞれの制御端子に受動的に更に結合され、全ての前記出力切替素子に対し、放電期間に導通を充電期間に非導通を生じ、前記充電期間は前記放電期間と交互に生じ重ならない、チャージポンプクロック生成回路と、を有する装置。
【請求項６】
立ち上がり及び立ち下がりの両方で、回路が存在しない場合と比較して、前記チャージポンプクロック出力の電圧変化率を減ずるよう構成された回路を更に有し、従って前記チャージポンプクロック出力電圧は実質的に正弦波である、請求項５記載の装置。
【請求項７】
モノリシック集積回路内で出力電圧源を生成するチャージポンプ装置であって、
ａ）電荷を電圧源から前記出力電圧源へ伝達する転送コンデンサと、
ｂ）前記転送コンデンサと電圧源の間に直列に配され、それぞれ前記転送コンデンサと前記電圧源の両方から実質的に絶縁された対応する制御節点を有する１つ以上の電源切替素子と、
ｃ）前記転送コンデンサと出力電圧源の間に直列に配され、それぞれ前記転送コンデンサと前記電圧源の両方から実質的に絶縁された対応する制御節点を有する１つ以上の出力切替素子と、
ｄ）チャージポンプクロック出力を電源切替素子又は出力切替素子に対応する制御節点の１つに結合する容量性結合回路と、を有する装置。
【請求項８】
方法であって、電圧源から転送コンデンサ（「ＴＣ」）への電荷の転送と、前記ＴＣから出力電源への電荷の転送を交互に行うことにより、モノリシック集積回路内に組み込まれたチャージポンプから出力電源を生成し、ＴＣ結合スイッチ（「ＴＣＣＳ」）回路は、チャージポンプクロックの制御下で、前記ＴＣを電源に結合するよう構成されるチャージポンプの切替回路であり、前記方法は、
ａ）放電期間に、第１のチャージポンプクロック出力の制御下で、放電ＴＣＣＳ回路を経由して、前記ＴＣを前記出力電源と結合する段階と、
ｂ）前記第１のチャージポンプクロック出力が実質的に正弦波であるよう、立ち上がり及び立ち下がりの両方で、前記第１のチャージポンプクロック出力の電圧変化率を能動的に制限する段階と、を有する方法。
【請求項９】
方法であって、電圧源から転送コンデンサ（「ＴＣ」）への電荷の転送と、前記ＴＣから出力電源への電荷の転送を交互に行うことにより、チャージポンプから出力電源を生成し、ＴＣ結合スイッチ（「ＴＣＣＳ」）回路は、チャージポンプクロックの制御下で、前記ＴＣを電源に結合するよう構成されるチャージポンプの切替回路であり、前記方法は、
ａ）放電期間に、第１のチャージポンプクロック出力の制御下で、放電ＴＣＣＳ回路を経由して、前記ＴＣを前記出力電源と結合する段階と、
ｂ）立ち上がり及び立ち下がりの両方で、前記第１のチャージポンプクロック出力の電圧変化率を能動的に制限する段階と、
ｃ）前記ＴＣの第１の端子を、放電共通ＴＣＣＳを通じて前記出力電源の共通基準端子に結合する段階と、
ｄ）前記ＴＣの第２の対極端子を、放電出力ＴＣＣＳを通じて共通基準端子の対極の出力電源端子に結合する段階と、
ｅ）前記放電共通ＴＣＣＳの制御端子ＡＣインピーダンスの少なくとも２倍の制御端子ＡＣインピーダンスを有するよう前記放電出力ＴＣＣＳを構成する段階と、を有する方法。
【請求項１０】
方法であって、電圧源から転送コンデンサ（「ＴＣ」）への電荷の転送と、前記ＴＣから出力電源への電荷の転送を交互に行うことにより、出力電源を生成し、前記方法は、
ａ）第１のチャージポンプクロック出力の制御下で、放電切替回路を通じて、放電期間に前記ＴＣを前記出力電源に結合する段階と、
ｂ）対応する電源電流制限回路を用いて、第１のチャージポンプクロック生成回路内で、３個の反転駆動段を有する電流スターブドリング発振器の反転駆動出力節点のそれぞれに提供される電源電流を制限する段階と、
ｃ）対応するシンク電流制限回路を用いて、前記反転駆動出力節点のそれぞれから引き込まれるシンク電流を制限する段階と、を有し、
ｄ）前記第１のチャージポンプクロック生成回路の３個の反転駆動段の１つの反転駆動出力節点は、前記第１のチャージポンプクロック出力である、方法。
【請求項１１】
方法であって、電圧源から転送コンデンサ（「ＴＣ」）への電荷の転送と、前記ＴＣから出力電源への電荷の転送を交互に行うことにより、モノリシック集積回路内で出力電源を生成し、前記方法は、
ａ）放電期間に、ＴＣ放電スイッチの制御端子と受動的に結合され及び前記ＴＣから実質的に絶縁された単相チャージポンプクロック出力の制御下で、前記ＴＣ放電スイッチを通じて前記ＴＣを前記出力電源と結合する段階と、
ｂ）前記放電期間と交互に生じ同時に生じない充電期間に、前記ＴＣ充電スイッチの制御端子と受動的に結合された前記単相チャージポンプクロック出力の制御下で、ＴＣ充電スイッチを通じて前記ＴＣを前記電圧源と結合する段階と、を有する方法。
【請求項１２】
方法であって、電圧源から転送コンデンサ（「ＴＣ」）への出力電源の電荷の転送と、前記ＴＣから出力電源への出力電源の電荷の転送を交互に行うことにより、モノリシック集積回路内の出力電源を生成し、前記方法は、
ａ）出力へ有意な電荷を伝導しない第１の容量性結合回路を通じて、第１のチャージポンプクロック出力を、ＴＣ充電スイッチの制御端子に結合する段階と、
ｂ）前記第１のチャージポンプクロック出力の制御下で、充電期間に、前記ＴＣ充電スイッチを通じて、前記ＴＣを前記電圧源に結合する段階と、
ｃ）出力へ有意な電荷を伝導しない第２の容量性結合回路を通じて、第２のチャージポンプクロック出力を、ＴＣ放電スイッチの制御端子に結合する段階と、
ｄ）前記第２のチャージポンプクロック出力の制御下で、前記充電期間と交互に生じ同時に生じない放電期間に、前記ＴＣ放電スイッチを通じて、前記ＴＣを前記出力電源に結合する段階と、を有する方法。